【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
交換機或いは無線制御装置に接続された複数の電話機を伝達能力クラス付けをして登録する登録手段と、電話機からの呼出番号の発信操作により、前記登録手段により伝達能力のクラス付けをして登録された複数の電話機の内で、前記発信操作を行なう電話機の伝達能力クラスと接続規制のない伝達能力クラスの複数の電話機に同時に着信を行なう着信手段と、を具備することを特徴とする電話機呼出方式。
【請求項２】
交換機或いは無線制御装置に接続された複数の電話機を同一伝達能力のクラス毎にグループ分けして登録する登録手段と、電話機からの呼出番号の発信操作により、前記登録手段により同一伝達能力のクラス毎にグループ分けされて登録された複数の電話機の内で、前記発信操作を行なう電話機の伝達能力クラスと接続規制のない伝達能力クラスのグループ内の複数の電話機に同時に着信を行なう着信手段と、を具備することを特徴とする電話機呼出方式。
【請求項３】
交換機或いは無線制御装置に接続された複数の電話機を伝達能力のクラス付けをして複数のグループに分割して登録する登録手段と、電話機からの呼出番号とグループ番号との発信操作により、前記登録手段により伝達能力のクラス付けをして複数のグループに分割されて登録された複数の電話機の内で、前記グループ番号のグループに属し、前記発信操作を行なう電話機の伝達能力クラスと接続規制のない伝達能力クラスの複数の電話機に同時に着信を行なう着信手段と、を具備することを特徴とする電話機呼出方式。
【請求項４】
請求項１、請求項２、請求項３の何れかに記載の電話機呼出方式において、前記発信操作を行なう電話機が、ＩＳＤＮインタフェースまたはＲＣＲインタフェースを具備し、前記交換機或いは前記無線制御装置に、呼設定メッセージから前記伝達能力クラスを抽出する抽出手段が設けられていることを特徴とする電話機呼出方式。
【手続補正２】
【補正対象書類名】明細書
【補正対象項目名】０００５
【補正方法】変更
【補正の内容】
【０００５】
【課題を解決するための手段】
本発明に係る電話機呼出方式は、交換機或いは無線制御装置に接続された複数の電話機を伝達能力クラス付けをして登録する登録手段と、電話機からの呼出番号の発信操作により、前記登録手段により伝達能力のクラス付けをして登録された複数の電話機の内で、前記発信操作を行なう電話機の伝達能力クラスと接続規制のない伝達能力クラスの複数の電話機に同時に着信を行なう着信手段と、を具備することを特徴とするものである。本発明によると、呼出側の電話機から呼出番号の発信操作が行なわれると、着信手段によって、交換機或いは無線制御装置に登録されている複数の電話機に同時に着信処理が行なわれる。


【手続補正３】
【補正対象書類名】明細書
【補正対象項目名】０００６
【補正方法】変更
【補正の内容】
【０００６】
【発明の実施の形態】
請求項１記載の発明は、交換機或いは無線制御装置に接続された複数の電話機を伝達能力クラス付けをして登録する登録手段と、電話機からの呼出番号の発信操作により、前記登録手段により伝達能力のクラス付けをして登録された複数の電話機の内で、前記発信操作を行なう電話機の伝達能力クラスと接続規制のない伝達能力クラスの複数の電話機に同時に着信を行なう着信手段と、を具備することを特徴とするものである。


【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項１記載の発明によると、電話機からの呼出番号の発信操作により、予め交換機或いは無線制御装置に、伝達能力のクラス付けをして登録されている複数の電話機の内で、発信操作を行なう電話機の伝達能力クラスと接続規制のない伝達能力クラスの複数の電話機に、同時に着信処理が行なわれる。


【手続補正９】
【補正対象書類名】明細書
【補正対象項目名】００１２
【補正方法】変更
【補正の内容】
【００１２】
請求項２記載の発明は、交換機或いは無線制御装置に接続された複数の電話機を同一伝達能力のクラス毎にグループ分けして登録する登録手段と、電話機からの呼出番号の発信操作により、前記登録手段により同一伝達能力のクラス毎にグループ分けされて登録された複数の電話機の内で、前記発信操作を行なう電話機の伝達能力クラスと接続規制のない伝達能力クラスのグループ内の複数の電話機に同時に着信を行なう着信手段と、を具備することを特徴とするものである。


【手続補正１０】
【補正対象書類名】明細書
【補正対象項目名】００１３
【補正方法】変更
【補正の内容】
【００１３】
請求項２記載の発明によると、電話機からの呼出番号の発信操作により、予め交換機或いは無線制御装置に、同一伝達能力のクラス毎にグループ分けされて登録されている複数の電話機の内で、発信操作を行なう電話機の伝達能力クラスと接続規制のない伝達能力クラスのグループ内の複数の電話機に、同時に着信処理が行なわれる。


【手続補正１１】
【補正対象書類名】明細書
【補正対象項目名】００１４
【補正方法】変更
【補正の内容】
【００１４】
請求項３記載の発明は、交換機或いは無線制御装置に接続された複数の電話機を伝達能力のクラス付けをして複数のグループに分割して登録する登録手段と、電話機からの呼出番号とグループ番号との発信操作により、前記登録手段により伝達能力のクラス付けをして複数のグループに分割されて登録された複数の電話機の内で、前記グループ番号のグループに属し、前記発信操作を行なう電話機の伝達能力クラスと接続規制のない伝達能力クラスの複数の電話機に同時に着信を行なう着信手段と、を具備することを特徴とするものである。


【手続補正１２】
【補正対象書類名】明細書
【補正対象項目名】００１５
【補正方法】変更
【補正の内容】
【００１５】
請求項３記載の発明によると、電話機からの呼出番号とグループ番号との発信操作により、予め交換機或いは無線制御装置に伝達能力のクラス付けをして複数のグループに分割されて登録されている複数の電話機の内で、グループ番号のグループに属し、発信操作を行なう電話機の伝達能力クラスと接続規制のない伝達能力クラスの複数の電話機に、同時に着信処理が行なわれる。


【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
請求項４記載の発明は、請求項１、請求項２、請求項３の何れかに記載の電話機呼出方式において、前記発信操作を行なう電話機が、ＩＳＤＮインタフェースまたはＲＣＲインタフェースを具備し、前記交換機或いは前記無線制御装置に、呼設定メッセージから前記伝達能力クラスを抽出する抽出手段が設けられていることを特徴とするものである。


【手続補正１８】
【補正対象書類名】明細書
【補正対象項目名】００２１
【補正方法】変更
【補正の内容】
【００２１】
請求項４記載の発明によると、ＩＳＤＮインタフェースまたはＲＣＲインタフェースを具備する電話機から、請求項１に対応して、呼出番号の発信操作が行なわれると、予め交換機或いは無線制御装置に、伝達能力のクラス付けをして登録されている複数の電話機に対して、交換機或いは無線制御装置に設けられている抽出手段により、呼設定メッセージから伝達能力クラスが抽出され、発信操作を行なう電話機の伝達能力クラスと接続規制のない伝達能力クラスの複数の電話機に、同時に着信処理が行なわれる。


【手続補正１９】
【補正対象書類名】明細書
【補正対象項目名】００２２
【補正方法】変更
【補正の内容】
【００２２】
また、ＩＳＤＮインタフェースまたはＲＣＲインタフェースを具備する電話機から、請求項２に対応して、呼出番号の発信操作が行なわれると、予め交換機或いは無線制御装置に対して同一伝達能力のクラス毎にグループ分けされて登録されている複数の電話機に対して、交換機或いは無線制御装置に設けられている抽出手段により、呼設定メッセージから伝達能力クラスが抽出され、発信操作を行なう電話機の伝達能力クラスと接続規制のない伝達能力クラスのグループ内の複数の電話機に、同時に着信処理が行なわれる。


【手続補正２０】
【補正対象書類名】明細書
【補正対象項目名】００２３
【補正方法】変更
【補正の内容】
【００２３】
さらに、ＩＳＤＮインタフェースまたはＲＣＲインタフェースを具備する電話機から、請求項３に対応して、呼出番号とグループ番号との発信操作が行なわれると、予め交換機或いは無線制御装置に伝達能力のクラス付けをして複数のグループに分割されて登録されている複数の電話機に対して、交換機或いは無線制御装置に設けられている抽出手段により、呼設定メッセージから伝達能力クラスが抽出され、グループ番号のグループに属し、発信操作を行なう電話機の伝達能力クラスと接続規制のない伝達能力クラスの複数の電話機に、同時に着信処理が行なわれる。


【手続補正２１】
【補正対象書類名】明細書
【補正対象項目名】００２６
【補正方法】変更
【補正の内容】
【００２６】
本実施の形態では、グループが一つの場合であり、電話機２１から呼出番号がダイヤル操作されると、電話機２１の伝達能力クラスと接続を規制されない伝達能力クラスに設定されている電話機２２、２３に同時に着信処理が行なわれる。


【手続補正２２】
【補正対象書類名】明細書
【補正対象項目名】００３０
【補正方法】変更
【補正の内容】
【００３０】
本実施の形態では、電話機２１から呼出番号とグループ３１のグループ番号がダイヤル操作されると、電話機２１の伝達能力クラスと接続を規制されない伝達能力クラスに設定されている電話機２２、２３に同時に着信処理が行なわれる。


【手続補正２３】
【補正対象書類名】明細書
【補正対象項目名】００３４
【補正方法】変更
【補正の内容】
【００３４】
本実施の形態では、電話機２１からグループ３１の呼出番号がダイヤルされると、電話機２１の伝達能力クラス１と接続を規制されない伝達能力クラス１のグループ３１の電話機２２、２３、２４に同時に着信処理が行なわれる。なお、伝達能力クラス１と伝達能力クラス２とは接続規制があるとすれば、電話機２１からグループ３２の呼出番号がダイヤルされても、電話機２１の伝達能力クラス１と接続を規制される伝達能力クラス２のグループ３２の電話機２５，２６，２７には着信しない。
【手続補正２４】
【補正対象書類名】明細書
【補正対象項目名】００３６
【補正方法】変更
【補正の内容】
【００３６】
【発明の効果】
請求項１の発明によると、電話機からの呼出番号の発信操作により、予め交換機或いは無線制御装置に、伝達能力のクラス付けをして登録されている複数の電話機の内で、発信操作を行なう電話機の伝達能力クラスと接続規制のない伝達能力クラスの複数の電話機に、同時に着信処理が行なわれるので、同時に複数の電話機に着信して、複数の電話機間で情報の交信を効率的に行なうことが可能になる。


【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】変更
【補正の内容】
【００３９】
請求項２記載の発明によると、電話機からの呼出番号の発信操作により、予め交換機或いは無線制御装置に、同一伝達能力のクラス毎にグループ分けされて登録されている複数の電話機の内で、発信操作を行なう電話機の伝達能力クラスと接続規制のない伝達能力クラスのグループ内の複数の電話機に、同時に着信処理が行なわれるので、同時に複数の電話機に着信して、複数の電話機間で情報の交信を効率的に行なうことが可能になる。


【手続補正２８】
【補正対象書類名】明細書
【補正対象項目名】００４０
【補正方法】変更
【補正の内容】
【００４０】
請求項３記載の発明によると、電話機からの呼出番号とグループ番号との発信操作により、予め交換機或いは無線制御装置に伝達能力のクラス付けをして複数のグループに分割されて登録されている複数の電話機の内で、グループ番号のグループに属し、発信操作を行なう電話機の伝達能力クラスと接続規制のない伝達能力クラスの複数の電話機に、同時に着信処理が行なわれるので、同時に複数の電話機に着信して、複数の電話機間で情報の交信を効率的に行なうことが可能になる


【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】変更
【補正の内容】
【００４２】
請求項４記載の発明によると、ＩＳＤＮインタフェースまたはＲＣＲインタフェースを具備する電話機から、請求項１に対応して、呼出番号の発信操作が行なわれると、予め交換機或いは無線制御装置に、伝達能力のクラス付けをして登録されている複数の電話機に対して、交換機或いは無線制御装置に設けられている抽出手段により、呼設定メッセージから伝達能力クラスが抽出され、発信操作を行なう電話機の伝達能力クラスと接続規制のない伝達能力クラスの複数の電話機に、同時に着信処理が行なわれ、請求項２に対応して、呼出番号の発信操作が行なわれると、予め交換機或いは無線制御装置に対して同一伝達能力のクラス毎にグループ分けされて登録されている複数の電話機に対して、交換機或いは無線制御装置に設けられている抽出手段により、呼設定メッセージから伝達能力クラスが抽出され、発信操作を行なう電話機の伝達能力クラスと接続規制のない伝達能力クラスのグループ内の複数の電話機に、同時に着信処理が行なわれ、請求項３に対応して、呼出番号とグループ番号との発信操作が行なわれると、予め交換機或いは無線制御装置に伝達能力のクラス付けをして複数のグループに分割されて登録されている複数の電話機に対して、交換機或いは無線制御装置に設けられている抽出手段により、呼設定メッセージから伝達能力クラスが抽出され、グループ番号のグループに属し、発信操作を行なった電話機の伝達能力クラスと接続規制のない伝達能力クラスの複数の電話機に、同時に着信処理が行なわれるので、何れの場合も、同時に複数の電話機に着信して、複数の電話機間で情報の交信を効率的に行なうことが可能になる。